【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
公認共有アクセス（ＡＳＡ）コントローラによって基地局から直接、通信要求を受信することと、
前記通信要求に応答して、前記ＡＳＡコントローラと前記基地局との間で直接、通信インターフェースを確立することと、
を備え、
前記ＡＳＡコントローラによって、前記ＡＳＡコントローラと前記基地局との間で直接、前記通信インターフェースを確立するより前に、オペレーション、アドミニストレーションおよびメンテナンス（ＯＡＭ）サーバからポリシーを取得することを特徴とし、
前記ＯＡＭサーバは、モバイルネットワーク事業者（ＭＮＯ）の無線アクセスネットワーク（ＲＡＮ）領域をサービスし、前記ＭＮＯの前記ＲＡＮ領域中の前記基地局の動作のために前記ポリシーを維持し、前記ポリシーは、１つまたは複数のＡＳＡリソースへのアクセスに関連し、
前記通信要求は、前記ＡＳＡコントローラによって、前記ＯＡＭを通して前記要求を受け渡すことなしに、前記基地局から受信される、
ワイヤレス通信の方法。
【請求項２】
前記ＡＳＡコントローラによって、前記ポリシーに基づいて、前記基地局に、前記基地局から受信されたリソース要求に直接応答することをさらに備え、前記リソース要求に前記直接応答することは、前記基地局によって要求されたＡＳＡ周波数スペクトル中の１つまたは複数のＡＳＡ周波数の現在の利用可能性を与えることを備える、請求項１に記載の方法。
【請求項３】
ＡＳＡ周波数スペクトルの使用を許された前記基地局が、１つまたは複数の基地局よりも、前記ＡＳＡ周波数スペクトルを使用するためのより高い優先度を有する場合、前記１つまたは複数の基地局からの１つまたは複数のリソース要求を拒否することと、
前記ＡＳＡ周波数スペクトルの使用を許された前記基地局が、前記１つまたは複数の基地局よりも低い優先度を有する場合、プリエンプションを実行することと、
をさらに備える、請求項１に記載の方法。
【請求項４】
前記通信要求に応答して、前記ＡＳＡコントローラによって、前記基地局に、前記ＡＳＡコントローラに登録するように直接促すことをさらに備える、請求項１に記載の方法。
【請求項５】
前記ＭＮＯの前記ＯＡＭから受信される前記ポリシーは、ＡＳＡ周波数スペクトルの使用のための１つまたは複数の潜在的ネットワーク構成を含む、請求項１に記載の方法。
【請求項６】
前記ポリシーは、
ＡＳＡ周波数スペクトルを含むＡＳＡ構成、
複数の基地局からの複数のリソース要求に関連する複数の優先度レベル、
前記ＡＳＡコントローラが、前記複数の基地局からの前記複数のリソース要求にどのように優先度を付けるかを示す第１のルール、
多数の基地局をそれらがまとめて取り扱われるように含むエリア、または基地局のセットを示すグループラベル、
前記ＡＳＡコントローラが、前記グループラベルによって示された１つまたは複数の基地局からの１つまたは複数のリソース要求にどのように応答するかを示す第２のルール、
前記複数の基地局のリスト、および
前記ＡＳＡコントローラが、前記複数の基地局からの前記複数のリソース要求の各々にどのように応答するかを示す第３のルール、
のうちの１つまたは複数を含む、請求項１に記載の方法。
【請求項７】
前記ＡＳＡコントローラは、ＡＳＡリポジトリと結合され、前記ＡＳＡリポジトリから、インカンベントユーザによるＡＳＡ周波数スペクトルの使用情報を取得する、請求項１に記載の方法。
【請求項８】
公認共有アクセス（ＡＳＡ）コントローラによって基地局から直接、通信要求を受信するための手段と、
前記通信要求に応答して、ＡＳＡコントローラと前記基地局との間で直接、通信インターフェースを確立するための手段と、
前記ＡＳＡコントローラによって、前記通信インターフェースが前記ＡＳＡコントローラと前記基地局との間で直接確立されるより前に、オペレーション、アドミニストレーションおよびメンテナンス（ＯＡＭ）サーバからポリシーを取得するための手段と、ここにおいて、前記ＯＡＭサーバは、モバイルネットワーク事業者（ＭＮＯ）の無線アクセスネットワーク（ＲＡＮ）領域をサービスし、前記ＭＮＯの前記ＲＡＮ領域中の前記基地局の動作のために前記ポリシーを維持し、前記ポリシーは、１つまたは複数のＡＳＡリソースへのアクセスに関連し、
前記ＯＡＭを通して前記要求を受け渡すことなしに、前記ＢＳによって前記通信要求を受信するための手段と、
を備える、ワイヤレス通信装置。
【請求項９】
基地局によって、公認共有アクセス（ＡＳＡ）情報を含むポリシーを受信することと、
前記基地局によって、前記受信されたＡＳＡ情報に基づいて、ＡＳＡコントローラとの通信を直接要求することと、
前記基地局と前記ＡＳＡコントローラとの間で直接、通信インターフェースを確立することと、
前記基地局によって、前記基地局と前記ＡＳＡコントローラとの間で直接、前記通信インターフェースを確立するより前に、オペレーション、アドミニストレーションおよびメンテナンス（ＯＡＭ）サーバからポリシーを受信することと、
を備え、
前記ＯＡＭサーバは、モバイルネットワーク事業者（ＭＮＯ）の無線アクセスネットワーク（ＲＡＮ）領域をサービスし、前記ＭＮＯの前記ＲＡＮ領域中の前記基地局の動作のために前記ポリシーを維持し、前記ポリシーは、１つまたは複数のＡＳＡリソースへのアクセスに関連し、
前記通信要求は、前記ＯＡＭを通して前記要求を受け渡すことなしに、前記基地局によって受信される、
ワイヤレス通信の方法。
【請求項１０】
前記基地局によって、前記ＯＡＭにオペレーションの変更を報告すること、
をさらに備え、前記ＯＡＭから受信される前記ポリシーは、前記基地局から報告されたオペレーションの変更に基づいて変更される、
請求項９に記載の方法。
【請求項１１】
前記ポリシーは、
ＡＳＡ周波数スペクトルと、前記基地局にとっての前記ＡＳＡ周波数スペクトルの潜在的利用可能性とを含むＡＳＡ構成、
前記ＡＳＡ周波数スペクトルまたは地理的エリア中の各ＡＳＡ周波数について前記基地局がコンタクトするための前記ＡＳＡコントローラの識別情報、
複数の基地局からの複数のリソース要求に関連する複数の優先度レベル、
多数の基地局をそれらがまとめて取り扱われるように含むエリア、または基地局のセットを示すグループラベル、
前記基地局がリソース要求を開始する条件、および
前記ＡＳＡ周波数スペクトルの前記利用可能性の予想、
のうちの１つまたは複数を含む、請求項９に記載の方法。
【請求項１２】
前記受信されたＡＳＡ情報に基づいて、ＡＳＡ周波数スペクトルを使用することを直接要求することをさらに備える、請求項９に記載の方法。
【請求項１３】
前記ポリシーを検査することと、
前記検査されたポリシーに基づいて、前記ＡＳＡコントローラとの前記通信を直接要求すべきかどうかを決定することと、
をさらに備える、請求項９に記載の方法。
【請求項１４】
前記基地局は、ＨｅＮＢ管理システムによってＡＳＡ構成を与えられるＨｅＮＢである、請求項９に記載の方法。
【請求項１５】
基地局によって、公認共有アクセス（ＡＳＡ）情報を含むポリシーを受信するための手段と、
前記基地局によって、前記受信されたＡＳＡ情報に基づいて、ＡＳＡコントローラとの通信を直接要求するための手段と、
基地局と前記ＡＳＡコントローラとの間で直接、通信インターフェースを確立するための手段と、
を備え、
前記基地局によって、前記基地局と前記ＡＳＡコントローラとの間で直接、前記通信インターフェースを確立するより前に、オペレーション、アドミニストレーションおよびメンテナンス（ＯＡＭ）サーバからポリシーを受信するための手段を特徴とし、
前記ＯＡＭサーバは、モバイルネットワーク事業者（ＭＮＯ）の無線アクセスネットワーク（ＲＡＮ）領域をサービスし、前記ＭＮＯの前記ＲＡＮ領域中の前記基地局の動作のために前記ポリシーを維持し、前記ポリシーは、１つまたは複数のＡＳＡリソースへのアクセスに関連し、
前記通信要求は、前記ＯＡＭを通して前記要求を受け渡すことなしに、前記基地局によって受信される、
ワイヤレス通信装置。
【手続補正２】
【補正対象書類名】明細書
【補正対象項目名】００８０
【補正方法】変更
【補正の内容】
【００８０】
[0085]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
公認共有アクセス（ＡＳＡ）コントローラによって、１つまたは複数のＡＳＡリソースへのアクセスに関連するポリシーを取得することと、
前記ＡＳＡコントローラによって基地局から直接、通信要求を受信することと、
前記通信要求に応答して、前記ＡＳＡコントローラと前記基地局との間で直接、通信インターフェースを確立することと、
を備える、ワイヤレス通信の方法。
［Ｃ２］
前記ＡＳＡコントローラによって、前記ポリシーに基づいて、前記基地局に、前記基地局から受信されたリソース要求に直接応答することをさらに備える、Ｃ１に記載の方法。
［Ｃ３］
前記リソース要求に前記直接応答することは、前記基地局によって要求されたＡＳＡ周波数スペクトル中の１つまたは複数のＡＳＡ周波数の現在の利用可能性を与えることを備える、Ｃ２に記載の方法。
［Ｃ４］
ＡＳＡ周波数スペクトルの使用を許された前記基地局が、１つまたは複数の基地局よりも、前記ＡＳＡ周波数スペクトルを使用するためのより高い優先度を有する場合、前記１つまたは複数の基地局からの１つまたは複数のリソース要求を拒否することをさらに備える、Ｃ１に記載の方法。
［Ｃ５］
前記ＡＳＡ周波数スペクトルの使用を許された前記基地局が、前記１つまたは複数の基地局よりも低い優先度を有する場合、プリエンプションを実行することをさらに備える、Ｃ４に記載の方法。
［Ｃ６］
前記通信要求に応答して、前記ＡＳＡコントローラによって、前記基地局に、前記ＡＳＡコントローラに登録するように直接促すことをさらに備える、Ｃ１に記載の方法。
［Ｃ７］
前記ポリシーは、前記ＡＳＡコントローラ中にプログラムされる、Ｃ１に記載の方法。
［Ｃ８］
前記ポリシーは、無線アクセスネットワーク（ＲＡＮ）領域中のモバイルネットワーク事業（ＭＮＯ）のオペレーション、アドミニストレーションおよびメンテナンスサーバ（ＯＡＭ）から受信される、Ｃ１に記載の方法。
［Ｃ９］
前記ＭＮＯの前記ＯＡＭから受信される前記ポリシーは、ＡＳＡ周波数スペクトルの使用のための１つまたは複数の潜在的ネットワーク構成を含む、Ｃ８に記載の方法。
［Ｃ１０］
前記ポリシーは、
ＡＳＡ周波数スペクトルを含むＡＳＡ構成、
複数の基地局からの複数のリソース要求に関連する複数の優先度レベル、
前記ＡＳＡコントローラが、前記複数の基地局からの前記複数のリソース要求にどのように優先度を付けるかを示す第１のルール、
多数の基地局をそれらがまとめて取り扱われるように含むエリア、または基地局のセットを示すグループラベル、
前記ＡＳＡコントローラが、前記グループラベルによって示された１つまたは複数の基地局からの１つまたは複数のリソース要求にどのように応答するかを示す第２のルール、
前記複数の基地局のリスト、および
前記ＡＳＡコントローラが、前記複数の基地局からの前記複数のリソース要求の各々にどのように応答するかを示す第３のルール、
のうちの１つまたは複数を含む、Ｃ１に記載の方法。
［Ｃ１１］
前記ＡＳＡコントローラは、ＡＳＡリポジトリと結合され、前記ＡＳＡリポジトリから、インカンベントユーザによるＡＳＡ周波数スペクトルの使用情報を取得する、Ｃ１に記載の方法。
［Ｃ１２］
前記基地局から情報を受信することをさらに備え、
前記情報は、
前記基地局のロケーション、
前記基地局のセルパラメータ、
前記基地局の優先度レベル、
前記基地局のラベル、および
前記基地局によって要求された１つまたは複数の周波数、のうちの１つまたは複数を含む、Ｃ１に記載の方法。
［Ｃ１３］
１つまたは複数のＡＳＡリソースへのアクセスに関連するポリシーを取得するための手段と、
基地局から通信要求を受信するための手段と、
前記通信要求に応答して、ＡＳＡコントローラと前記基地局との間で直接、通信インターフェースを確立するための手段と、
を備える、ワイヤレス通信装置。
［Ｃ１４］
ＡＳＡ周波数スペクトルの使用を許された前記基地局が、１つまたは複数の基地局よりも、前記ＡＳＡ周波数スペクトルを使用するためのより高い優先度を有する場合、前記１つまたは複数の基地局からの１つまたは複数のリソース要求を拒否するための手段と、
前記ＡＳＡ周波数スペクトルの使用を許された前記基地局が、前記１つまたは複数の基地局よりも低い優先度を有する場合、プリエンプションを実行するための手段と、
をさらに備える、Ｃ１３に記載の装置。
［Ｃ１５］
前記ポリシーは、
前記ＡＳＡコントローラ中にプログラムされるか、または
無線アクセスネットワーク（ＲＡＮ）領域中のモバイルネットワーク事業（ＭＮＯ）のオペレーション、アドミニストレーションおよびメンテナンスサーバ（ＯＡＭ）から受信され、
前記ＭＮＯの前記ＯＡＭから受信される前記ポリシーは、ＡＳＡ周波数スペクトルの使用のための１つまたは複数の潜在的ネットワーク構成を含む、
のうちの１つである、Ｃ１３に記載の装置。
［Ｃ１６］
前記ポリシーは、
ＡＳＡ周波数スペクトルを含むＡＳＡ構成、
複数の基地局からの複数のリソース要求に関連する複数の優先度レベル、
前記ＡＳＡコントローラが、前記複数の基地局からの前記複数のリソース要求にどのように優先度を付けるかを示す第１のルール、
多数の基地局をそれらがまとめて取り扱われるように含むエリア、または基地局のセットを示すグループラベル、
前記ＡＳＡコントローラが、前記グループラベルによって示された１つまたは複数の基地局からの１つまたは複数のリソース要求にどのように応答するかを示す第２のルール、
前記複数の基地局のリスト、および
前記ＡＳＡコントローラが、前記複数の基地局からの前記複数のリソース要求の各々にどのように応答するかを示す第３のルール、
のうちの１つまたは複数を含む、Ｃ１３に記載の装置。
［Ｃ１７］
基地局によって、ＡＳＡ情報を含むポリシーを受信することと、
前記基地局によって、前記受信されたＡＳＡ情報に基づいて、公認共有アクセス（ＡＳＡ）コントローラとの通信を直接要求することと、
前記基地局と前記ＡＳＡコントローラとの間で直接、通信インターフェースを確立することと、
を備える、ワイヤレス通信の方法。
［Ｃ１８］
前記ポリシーを前記受信することは、無線アクセスネットワーク（ＲＡＮ）領域中のモバイルネットワーク事業者（ＭＮＯ）のオペレーション、アドミニストレーションおよびメンテナンスサーバ（ＯＡＭ）から、前記ポリシーを受信することを備える、Ｃ１７に記載の方法。
［Ｃ１９］
前記基地局によって、前記ＯＡＭにオペレーションの変更を報告すること、
をさらに備え、前記ＯＡＭから受信される前記ポリシーは、前記基地局から報告されたオペレーションの変更に基づいて変更される、
Ｃ１８に記載の方法。
［Ｃ２０］
前記ポリシーは、
ＡＳＡ周波数スペクトルと、前記基地局にとっての前記ＡＳＡ周波数スペクトルの潜在的利用可能性とを含むＡＳＡ構成、
前記ＡＳＡ周波数スペクトルまたは地理的エリア中の各ＡＳＡ周波数について前記基地局がコンタクトするための前記ＡＳＡコントローラの識別情報、
複数の基地局からの複数のリソース要求に関連する複数の優先度レベル、
多数の基地局をそれらがまとめて取り扱われるように含むエリア、または基地局のセットを示すグループラベル、
前記基地局がリソース要求を開始する条件、および
前記ＡＳＡ周波数スペクトルの前記利用可能性の予想、
のうちの１つまたは複数を含む、Ｃ１７に記載の方法。
［Ｃ２１］
前記受信されたＡＳＡ情報に基づいて、ＡＳＡ周波数スペクトルを使用することを直接要求することをさらに備える、Ｃ１７に記載の方法。
［Ｃ２２］
前記ＡＳＡコントローラに情報を送信することをさらに備え、
前記情報は、
前記基地局のロケーション、
前記基地局のセルパラメータ、
前記基地局の優先度レベル、
前記基地局のラベル、および
前記基地局によって要求された１つまたは複数の周波数、
のうちの１つまたは複数を含む、Ｃ１７に記載の方法。
［Ｃ２３］
前記ポリシーを検査することと、
前記検査されたポリシーに基づいて、前記ＡＳＡコントローラとの前記通信を直接要求すべきかどうかを決定することと、
をさらに備える、Ｃ１７に記載の方法。
［Ｃ２４］
前記基地局は、ＨｅＮＢ管理システムによってＡＳＡ構成を与えられるＨｅＮＢである、Ｃ１７に記載の方法。
［Ｃ２５］
ＡＳＡ情報を含むポリシーを受信するための手段と、
前記受信されたＡＳＡ情報に基づいて、公認共有アクセス（ＡＳＡ）コントローラとの通信を直接要求するための手段と、
基地局と前記ＡＳＡコントローラとの間で直接、通信インターフェースを確立するための手段と、
を備える、ワイヤレス通信装置。
［Ｃ２６］
前記ポリシーを受信するための手段は、無線アクセスネットワーク（ＲＡＮ）領域中のモバイルネットワーク事業者（ＭＮＯ）のオペレーション、アドミニストレーションおよびメンテナンスサーバ（ＯＡＭ）から前記ポリシーを受信するための構成を備え、
前記ＯＡＭにオペレーションの変更を報告するための手段をさらに備え、前記ＯＡＭから受信された前記ポリシーは、前記基地局から報告されたオペレーションの変更に基づいて変更される、Ｃ２５に記載の装置。
［Ｃ２７］
前記ポリシーは、
ＡＳＡ周波数スペクトルと、前記基地局にとっての前記ＡＳＡ周波数スペクトルの潜在的利用可能性とを含むＡＳＡ構成、
前記ＡＳＡ周波数スペクトルまたは地理的エリア中の各ＡＳＡ周波数について前記基地局がコンタクトするための前記ＡＳＡコントローラの識別情報、
複数の基地局からの複数のリソース要求に関連する複数の優先度レベル、
多数の基地局をそれらがまとめて取り扱われるように含むエリア、または基地局のセットを示すグループラベル、
前記基地局がリソース要求を開始する条件、および
前記ＡＳＡ周波数スペクトルの前記利用可能性の予想、
のうちの１つまたは複数を含む、Ｃ２５に記載の装置。
［Ｃ２８］
前記受信されたＡＳＡ情報に基づいて、ＡＳＡ周波数スペクトルを使用することを直接要求するための手段をさらに含む、Ｃ２５に記載の装置。
［Ｃ２９］
前記ポリシーを検査し、前記検査されたポリシーに基づいて、前記ＡＳＡコントローラとの前記通信を直接要求すべきかどうかを決定するための手段をさらに含む、Ｃ２５に記載の装置。
［Ｃ３０］
前記基地局は、ＨｅＮＢ管理システムによってＡＳＡ構成を与えられるＨｅＮＢである、Ｃ２５に記載の装置。